(57)【要約】  書き換え型記録層（Ｌ０層）および追記型記録層（Ｌ１層）を備えている情報記録媒体および該情報記録媒体の記録再生を好適に行うための記録再生装置を提供する。上記書き換え型記録層（Ｌ０層）には、ユーザ情報のほか、上記追記型記録層（Ｌ１層）のユーザ情報の記録および再生を管理するための管理情報のうち更新され得る管理情報を記録するための記録領域（ＴＤＭＡ）が配置されている。これにより、追記型記録層を備えている情報記録媒体であって、追記型記録層の管理情報を容易かつ効率よく記録し得る情報記録媒体、および該情報記録媒体の記録再生装置を提供する。
2009044662.tif 000002
【特許請求の範囲】
【請求項１】
すくなくともユーザ情報を記録するための、書き換え型記録層および追記型記録層を備えており、
該追記型記録層のユーザ情報の記録および再生を管理するための、更新され得る管理情報を記録するための記録領域が、該書き換え型記録層に配置されていることを特徴とする情報記録媒体。
【請求項２】
上記更新され得る管理情報が、上記追記型記録層における欠陥管理を行うための管理情報であることを特徴とする請求の範囲第１項に記載の情報記録媒体。
【請求項３】
上記更新され得る管理情報が、上記追記型記録層における記録領域の分割管理を行うための管理情報であることを特徴とする請求の範囲第１項に記載の情報記録媒体。
【請求項４】
上記更新され得る管理情報が、上記記録領域の特定領域に管理情報が書き込まれているか否かを示す管理情報であることを特徴とする請求の範囲第１項〜第３項の何れか一項に記載の情報記録媒体。
【請求項５】
ユーザ情報を記録するための書き換え型記録層および追記型記録層を備えている情報記録媒体のユーザ情報を記録再生するための情報記録媒体の記録再生装置であって、
該追記型記録層のユーザ情報の記録および再生を管理するための、更新され得る管理情報を、該書き換え型記録層に配置された特定の記録領域に記録する管理情報記録手段を備えていることを特徴とする情報記録媒体の記録再生装置。
【請求項６】
上記情報記録媒体が自装置に供されたときに、上記追記型記録層からの情報の読み取りの前に、上記書き換え型記録層からの情報の読み取りを行うことを特徴とする請求の範囲第５項に記載の情報記録媒体の記録再生装置。
【発明の詳細な説明】
【技術分野】
【０００１】
本発明は、情報記録媒体および情報記録媒体の記録再生装置に関するものであり、詳しくは、追記型記録層を備えている情報記録媒体ならびにその記録再生を行うための情報記録媒体の記録再生装置に関するものである。
【背景技術】
【０００２】
近年、画像情報や音声情報をはじめとする各種の情報がデジタル化され、より優れた情報記録媒体およびその記録再生装置が求められている。【０００３】
光ディスク等の情報記録媒体には通常、ユーザが記録再生する目的のデータであるユーザ情報が記録される他に、ユーザ情報の記録再生を管理するための管理情報が記録されている。【０００４】
管理情報としては、例えば、特許文献１に記載のような交替処理のための管理情報がある。交替処理とは、例えば、光ディスクの表面にキズ等がついてしまい、記録再生できないいわゆる欠陥領域が発生した場合に、代わりの領域において記録再生を行うようにする処理である。これにより、光ディスクに記録された、個人で撮影した画像情報や、ネットワーク経由で購入した画像情報などの貴重な情報を誤りなく記録再生することができる。【０００５】
また、特許文献２には、情報記録媒体をＳＲＲと呼ばれる小領域に分割することにより効率よく記録再生を行う技術が記載されており、ＳＲＲＩとよばれる管理情報が活用されている。【０００６】
これらの管理情報は、頻繁に更新されるものも多く、情報記録媒体として追記型の記録媒体を用いた場合、更新を追記によって行うことによる過剰な記録領域の消費が問題となる場合がある。以下に、具体例として、交替処理の管理情報について説明する。【０００７】
図１５は、従来技術に係る情報記録媒体３上に記録された情報の構成を示す図である。情報記録媒体３の記録層としては、１回だけ記録が可能な、追記型記録層が用いられている。図１５に示すように、情報記録媒体３には、システム情報領域、ＤＭＡ１〜４、ＴＤＭＡ、ＩＳＡ０、ＯＳＡ０、およびユーザ情報記録領域が設けられている。【０００８】
システム情報は、光ディスク装置が各種の制御を正しく実行するために必要な情報であり、例えば、記録再生条件等が記録されている。【０００９】
ＤＭＡ１からＤＭＡ４は、欠陥やキズにより記録不能となった記録領域の代わりに情報を記録する処理、すなわち、交替処理に用いる管理情報を記録する領域である。ＤＭＡ１からＤＭＡ４は、ファイナライズ処理によって記録される。追記型記録層は、書き換えができないので、ファイナライズ処理以降は、ＤＭＡ１からＤＭＡ４の更新ができないため、情報記録媒体３への記録が禁止される。【００１０】
ＩＳＡ０およびＯＳＡ０は、交替処理により情報を記録するための領域、すなわち、交替領域である。【００１１】
ＴＤＭＡはファイナライズ処理を行うまでの期間に一時的に使用される、交替処理管理情報領域である。ＴＤＭＡには、交替処理管理情報が記録される。ＴＤＭＡに記録される情報を図１６に示す。ＴＤＭＡには、ＴＤＤＳ、ＴＤＦＬ１からＴＤＦＬ７が記録される。ＴＤＤＳは交替処理のための管理情報であり、ＴＤＦＬは交替処理を行う領域の物理アドレスを記録したリストである。ＴＤＭＡに記録されるＴＤＤＳやＴＤＦＬは情報の更新が行なわれるが、ＴＤＭＡは追記型記録層に確保されているので、書き換えはできず、追記により情報の更新が行なわれる。【００１２】
追記により情報の更新をする場合、通常、更新前のひとまとまりの情報、例えばＴＤＤＳ等が記録された領域の後に、更新後のひとまとまりの情報を記録して、該更新前の情報を無効化することが行われる。そのため、ＴＤＤＳのようなひとまとまりの情報が占める記録領域が、情報の更新の度に消費されてしまう。【００１３】
以上のように、ＴＤＭＡ領域は、追記により情報の更新がなされるため、情報の更新の度に領域が消費され、空き領域がなくなった時点でユーザ情報の記録ができなくなる。【００１４】
このような問題を解決するため、特許文献１では、情報を更新する回数を最適化する手法が提案されている。【００１５】
また、光ディスクカートリッジに補助メモリを配置し、それに交替処理のための情報を記憶する発明が特許文献２に開示されている。
【特許文献１】日本国公開特許公報「特開２００５−４９１２号公報（公開日：２００５年１月６日）」
【特許文献２】日本国公表特許公報「特表２００７−５０５４３１号公報（公表日：２００７年３月８日公開）」
【特許文献３】日本国公開特許公報「特開平１０−５００３２号公報（公開日：１９９８年２月２０日）」
【発明の開示】
【００１６】
しかし、追記型記録層を備えている情報記録媒体であって、追記型記録層の管理情報を容易かつ効率よく記録し得る情報記録媒体は存在していなかった。
【００１７】
すなわち、特許文献１および２に記載の情報記録媒体のように追記型記録層のみからなる情報記録媒体では、上述したようなＴＤＭＡおよびＳＲＲＩ等の更新され得る管理情報が、予め配置された該管理情報を記録するための記録領域からあふれる虞があり、これを避けるために予め該記録領域を大きく取ることは無駄が大きかった。
【００１８】
確かに、特許文献１には、情報を更新する回数を最適化する手法が提案されている。しかしながら、交替処理の対象となる要因は多種多様であるため、それぞれの光ディスクにおいて、どの程度の数の交替処理が必要となるかを予測することは、非常に困難である。よって、たとえ情報を更新する回数を最適化したとしても、追記によりＴＤＭＡ領域を消費していくという問題を根本的に解決することはできなかった。
【００１９】
また、特許文献３に記載の光ディスクカートリッジのように、交替処理のための情報を記録するための補助メモリが搭載された情報媒体では、カートリッジのない光ディスクには適用できず、また、補助メモリへ情報を記録および再生するための特別の回路や機構が必要となるという問題があった。
【００２０】
本発明は、上記課題に鑑みてなされたものであり、追記型記録層を備えている情報記録媒体であって、追記型記録層の管理情報を容易かつ効率よく記録し得る情報記録媒体、および該情報記録媒体の記録再生装置を提供することを主たる目的とする。
【００２１】
本発明に係る情報記録媒体は、上記課題を解決するために、すくなくともユーザ情報を記録するための、書き換え型記録層および追記型記録層を備えており、該追記型記録層のユーザ情報の記録および再生を管理するための、更新され得る管理情報を記録するための記録領域が、該書き換え型記録層に配置されていることを特徴としている。
【００２２】
上記の構成によれば、追記型記録層の管理情報が書き換え可能な記録層に配置されているので、管理情報が頻繁に更新された場合であっても、管理情報を記録するための記録領域が追記により消費されることがなく、その結果、管理情報を記録するための記録領域の不足により記録不能となることや、不必要に該記録領域を確保することを防ぐことができる。
【００２３】
また、追記型記録層と書き換え型記録層は、いずれも同一の情報記録媒体の層であり、ユーザ情報の記録再生と同じ手段により管理情報を記録再生することができる。そのため、管理情報の記録および再生のために新たに特別な回路や機構を付加する必要がない。また、情報媒体にも、管理情報だけのためにあらたな構造を付加する必要もない。
【００２４】
以上のように、本発明に係る情報記録媒体によれば、追記型記録層の管理情報を容易かつ効率よく記録することができる。
【００２５】
本発明に係る情報記録媒体では、上記更新され得る管理情報が、上記追記型記録層における欠陥管理を行うための管理情報であってもよい。
【００２６】
上記の構成によれば、追記型記録層において交替処理等の欠陥管理を行う場合においても、該欠陥管理の管理情報を容易かつ効率よく記録することができるので、該追記型記録層の欠陥管理を好適に行うことができる。
【００２７】
本発明に係る情報記録媒体では、上記更新され得る管理情報が、上記追記型記録層における記録領域の分割管理を行うための管理情報であってもよい。
【００２８】
上記の構成によれば、追記型記録層においてＳＲＲ等の分割領域を設けた場合であっても、該分割領域の管理のための管理情報を容易かつ効率よく記録することができるので、該追記型記録層の分割領域の管理を好適に行うことができる。
【００２９】
本発明に係る情報記録媒体では、上記更新され得る管理情報が、上記記録領域の特定領域に管理情報が書き込まれているか否かを示す管理情報であってもよい。
【００３０】
上記の構成によれば、上記更新され得る管理情報が、上記記録領域の特定領域に管理情報が書き込まれているか否かを示す管理情報（領域使用状況情報）を含んでいる。そのため、上記領域使用状況情報に基づいて、管理情報の読み込みを行うことにより、管理情報が書き込まれていない領域の読み取りを飛ばすことができるため、効率よく管理情報を取得することができる。
【００３１】
本発明に係る情報記録媒体の記録再生装置では、ユーザ情報を記録するための書き換え型記録層および追記型記録層を備えている情報記録媒体のユーザ情報を記録再生するための情報記録媒体の記録再生装置であって、該追記型記録層のユーザ情報の記録および再生を管理するための、更新され得る管理情報を、該書き換え型記録層に配置された特定の記録領域に記録する管理情報記録手段を備えていることを特徴としている。
【００３２】
上記の構成によれば、追記型記録層の管理情報が書き換え可能な記録層に記録されるので、管理情報が頻繁に更新された場合であっても、管理情報を記録するための記録領域が追記により消費されることがなく、その結果、管理情報を記録するための記録領域の不足により記録不能となることや、不必要に該記録領域を確保することを防ぐことができる。
【００３３】
また、追記型記録層と書き換え型記録層は、いずれも同一の情報記録媒体の層であり、ユーザ情報の記録再生と同じ手段により管理情報を記録再生することができる。そのため、管理情報の記録および再生のために新たに特別な回路や機構を付加する必要がない。また、情報媒体にも、管理情報だけのためにあらたな構造を付加する必要もない。
【００３４】
以上のように、本発明に係る情報記録媒体の記録再生装置によれば、追記型記録層の管理情報を容易かつ効率よく記録することができる。
【００３５】
本発明に係る情報記録媒体の記録再生装置では、上記情報記録媒体が自装置に供されたときに、上記追記型記録層からの情報の読み取りの前に、上記書き換え型記録層からの情報の読み取りを行うことが好ましい。
【００３６】
上記の構成によれば、上記書き換え型記録層には、上記追記型記録層の管理情報が記録されている。そのため、最初に上記書き換え型記録層からの情報の読み取りを行うことにより、追記型記録層の管理情報を取得して、好適に以後の読み取りを行うことができる。
【００３７】
本発明に係る情報記録媒体の記録再生装置ではまた、上記更新され得る管理情報が、上記追記型記録層における欠陥管理を行うための管理情報、該追記型記録層における記録領域の分割管理を行うための管理情報、または上記記録領域の特定領域に管理情報が書き込まれているか否かを示す管理情報であってもよい。
【００３８】
上記の構成によれば、これらの有用な管理情報を好適に記録することができる。
【００３９】
本発明に係る情報記録媒体の記録再生方法は、ユーザ情報を記録するための書き換え型記録層および追記型記録層を備えている情報記録媒体のユーザ情報を記録再生するための情報記録媒体の記録再生方法であって、該追記型記録層のユーザ情報の記録および再生を管理するための、更新され得る管理情報を、該書き換え型記録層に配置された特定の記録領域に記録する管理情報記録工程を包含していることを特徴としている。
【００４０】
上記の構成によれば、本発明に係る情報記録媒体の記録再生装置と同等の効果を奏することができる。
【００４１】
本発明の他の目的、特徴、および優れた点は、以下に示す記載によって十分分かるであろう。また、本発明の利点は、添付図面を参照した次の説明で明白になるであろう。
【図面の簡単な説明】
【００４２】
【図１】本発明の第１の実施形態に係る情報記録媒体が備える書き換え型記録層（Ｌ０層）および追記型記録層（Ｌ１層）の概略構成を示す図である。
【図２】本発明の第１の実施形態に係る情報記録媒体において欠陥管理領域（ＤＭＡ）に記録される情報の構造を示す図である。
【図３】本発明の第１の実施形態に係る情報記録媒体において交替管理情報（ＤＤＳ）に含まれる情報を説明する図である。
【図４】本発明の第１の実施形態に係る情報記録媒体において欠陥リスト（ＤＦＬ）に含まれる情報を説明する図である。
【図５】本発明の第１の実施形態に係る情報記録媒体において一時的欠陥管理領域（ＴＤＭＡ）に記録される情報の構造を示す図である。
【図６】本発明の第１の実施形態に係る情報記録媒体において交替管理情報（ＴＤＤＳ）に含まれる情報を説明する図である
【図７】本発明の第１の実施形態に係る情報記録媒体において欠陥リスト（ＴＤＦＬ）に含まれる情報を説明する図である。
【図８】本発明の第１の実施形態に係る情報記録媒体の記録再生装置の概略構成を示すブロック図である。
【図９】本発明の第１の実施形態に係る情報記録媒体の記録再生装置の管理情報の読み取り動作を説明するフローチャートである。
【図１０】本発明の第１の実施形態に係る情報記録媒体の記録再生装置の管理情報の書き込み動作を説明するフローチャートである。
【図１１】本発明の第２の実施形態に係る情報記録媒体が備える書き換え型記録層（Ｌ０層）および追記型記録層（Ｌ１層）の概略構成を示す図である。
【図１２】本発明の第２の実施形態に係る情報記録媒体において欠陥管理領域（ＤＭＡ）に記録される情報の構造を示す図である。
【図１３】本発明の第２の実施形態に係る情報記録媒体において連続記録領域情報（ＳＲＲＩ）に含まれる情報を説明する図である。
【図１４】本発明の第２の実施形態に係る情報記録媒体において連続記録領域エントリ（ＳＲＲエントリ）に含まれる情報を説明する図である。
【図１５】従来技術に係る情報記録媒体が備える記録層の概略構成を示す図である。
【図１６】従来技術に係る情報記録媒体において欠陥管理領域（ＤＭＡ）に記録される情報の構造を示す図である。
【符号の説明】
【００４３】
１  情報記録媒体
１０  記録再生装置（情報記録媒体の記録再生装置）
１１  ピックアップ
１２  再生回路
１３  復号回路
１４  記録制御回路
１５  サーボ回路
１６  制御回路（管理情報記録手段）
【発明を実施するための最良の形態】
【００４４】
本発明の好適な実施形態について図面を参照して説明すれば、以下のとおりである。なお、以下では、情報記録媒体として光ディスクを用いた場合について説明するが、これは本発明を何ら限定するものではない。【００４５】
〔第１実施形態〕
図１は、本発明の一実施形態（第１実施形態）に係る情報記録媒体１の各記録層の記録領域の概略構成を示す図である。図１に示すように、本実施形態に係る情報記録媒体１は、Ｌ０層およびＬ１層を備えている。Ｌ０層は書き換え型記録層であり、Ｌ１層は追記型記録層である。本実施形態では、読み取りのためのレーザ光を入射する側からＬ１層、Ｌ０層の順に配置されているが、これに限らず、逆の順番になっていてもよい。【００４６】
なお、本実施形態では、情報記録媒体１は、書き換え型記録層および追記型記録層をそれぞれ一層ずつ備えているが、本発明に係る情報記録媒体は、書き換え型記録層および追記型記録層をそれぞれすくなくとも一層ずつ備えていればよいのであって、各記録層を二層以上備えていてもよい。【００４７】
また、書き換え型記録層とは、書き換え可能な記録層であって、リライタブル（Ｒｅ−Ｗｒｉｔａｂｌｅ）記録層とも称され、情報の記録、削除、または修正を複数回にわたって可能な記録層を指す。また、追記型記録層とは、ライトワンス（Ｗｒｉｔｅ−Ｏｎｃｅ）記録層とも称され、一回に限り情報を記録可能な記録層を指す。【００４８】
図１に示すように、Ｌ０層（書き換え型記録層）には、システム情報領域、ＤＭＡ（ディフェクトマネジメントエリア、欠陥管理領域）１−０、ＤＭＡ２−０、ＴＭＤＡ（テンポラリディフェクトマネジメントエリア、一時的欠陥管理領域）、ＩＳＡ（インナースペアーエリア、内周側交替領域）０、ユーザ情報記録領域、ＯＳＡ（アウタースペアーエリア、外周側交替領域）０、ＤＭＡ３−０、およびＤＭＡ４−０が設けられており、Ｌ１層（追記型記録層）には、システム情報領域、ＤＭＡ１−１、ＤＭＡ２−１、ＩＳＡ１、ユーザ情報記録領域、ＯＳＡ１、ＤＭＡ３−１、およびＤＭＡ４−１が設けられている。【００４９】
このうち、ユーザ情報記録領域はユーザ情報を記録するための記録領域であり、その他は、管理情報を記録するための記録領域である。なお、ユーザ情報は、使用者が再生および記録をする目的となる情報であり、管理情報はユーザ情報の再生および記録を管理するための情報である。以下、各記録領域について詳細に説明する。【００５０】
システム情報領域は、システム情報が記録されている記録領域である。システム情報は、情報記録媒体１の記録再生装置１０が各種の制御を正しく実行するために必要な情報であり、例えば、記録再生条件等が記録されている。Ｌ０、Ｌ１の各層には、同一の情報が記録されている。このため、いずれか１層のシステム情報が読み取り不能となっても、他の層のシステム情報で代替可能である。【００５１】
ＤＭＡ１−０〜ＤＭＡ４−０は、交替処理に用いる管理情報を記録するための記録領域である。交替処理とは、欠陥やキズにより記録不能となった記録領域が存在した場合に、任意の情報を、該記録不能となった記録領域の代わりに、所定の交替領域に記録する処理であり、欠陥管理の一種である。交替処理、およびＤＭＡ１−０〜ＤＭＡ４−０に記録される管理情報の詳細は後述する。【００５２】
上記４つの記録領域には、全て同一の管理情報が記録される。このため、いずれか１つの記録領域が読み取り不能となっても他の記録領域に記録された管理情報で代替が可能である。同様に、ＤＭＡ１−１〜ＤＭＡ４−１にも、全て同一の管理情報が記録される。すなわち、同じ層のＤＭＡ領域には、全て同一の管理情報が記録されている。ただし、記録される管理情報は層毎に異なっており、例えば、ＤＭＡ１−０とＤＭＡ１−１には、それぞれ、異なる管理情報が記録される。【００５３】
ＤＭＡ１−１からＤＭＡ４−１は、追記型記録層（Ｌ１層）に記録されるので、一旦記録されると書き換えはできない。よって、Ｌ１層のユーザ情報記録領域に対する追記を行う必要がなくなった時点で記録される。一般には、ＤＭＡ１−１〜ＤＭＡ４−１を記録する処理をファイナライズ処理と呼ぶ。ファイナライズ処理後は、ＤＭＡ１−１からＤＭＡ４−１に記録される管理情報の更新ができなくなるため、それ以降は、ユーザ情報等の記録は一切できなくなる。【００５４】
ＴＤＭＡは、Ｌ１層の交替処理の管理情報を一時的に記録するための記録領域である。前述のように、ＤＭＡ１−１〜ＤＭＡ４−１はファイナライズ処理により記録されるので、ファイナライズ処理を行うまでの期間、交替処理の管理情報は、一時的にＴＤＭＡに記録される。【００５５】
本発明に係る情報記録媒体１では、ＴＤＭＡは、書き換え型記録層（Ｌ０層）に配置されているため、書き換え可能である。よって、従来技術のように、追記型記録層にＴＤＭＡが配置されており、追記が重ねて行われて、ＴＤＭＡの全領域が消費されてしまうということがない。すなわち、ＴＤＭＡとして必要となる領域の大きさを予測して、ＴＤＭＡのサイズを確保する必要がない。【００５６】
また、Ｌ０層とＬ１層は、書き換え型記録層と追記型記録層という、記録層の性質の違いはあるものの、どちらの層も同一のピックアップで記録および再生が可能であり、ＴＤＭＡをＬ０層に配置したことに起因して、新たに特別な回路や機構を付加する必要はない。また、ＴＤＭＡは、層は異なるものの、同一のディスクに記録されるため、光ディスク装置からイジェクトされて、取り出されても、１つのディスクに一体的に保持される。従って、他の光ディスク装置に挿入された場合も、Ｌ０層に記録されているＴＤＭＡに基づいて、Ｌ１層の交替処理を行うことができる（可搬性が高い）。【００５７】
本実施形態では、ＴＤＭＡは一箇所のみ配置しているが、ＤＭＡ同様に複数の位置に同一内容が記録されるＴＤＭＡを配置するようにしても良い。複数の位置に配置すれば、欠陥や記録失敗などにより、管理情報を失うリスクを低減できるが、一方で、記録に時間を要するため、更新時間がかかるというデメリットもある。これらのメリットおよびデメリットを考慮してＴＤＭＡの数を決定すればよい。【００５８】
ＩＳＡ０、ＩＳＡ１、ＯＳＡ０およびＯＳＡ１は、交替処理において記録不能となった記録領域の代わりに情報を記録するための記録領域、すなわち交替領域である。これら複数の交替領域は、内周側に配置されるＩＳＡ０、およびＩＳＡ１から順番に使用しても良いし、欠陥領域に近い交替領域を使用するようにしてもよい。【００５９】
ユーザ情報記録領域にはユーザ情報が記録される。【００６０】
次に、ＤＭＡに記録される管理情報の詳細を説明する。図２は、各ＤＭＡに記録される情報の構成を示す図である。図２に示すように、ＤＭＡ（例えばＤＭＡ１−０）の先頭から所定の領域には、交替管理情報であるＤＤＳ（Ｄｉｓｃ  Ｄｅｆｉｎｉｔｉｏｎ  Ｓｔｒｕｃｔｕｒｅ）が記録される。そして、ＤＤＳに続く所定の領域には、ＤＦＬ（Ｄｅｆｅｃｔ  Ｌｉｓｔ）１〜７が記録される。なお、本実施形態では、ＤＦＬは７個であるが、特に数は限られない。【００６１】
図３は、ＤＤＳに含まれる管理情報を説明する図である。図３に示すように、一実施形態において、ＤＤＳには、ＤＤＳ＿ＩＤ、ＤＦＬ＿ＡＤＲ、ＳＰ＿ＦＵＬＬ、ＩＳＡ＿ＳＩＺＥ、ＯＳＡ＿ＳＩＺＥ、およびＴＤＭＡ＿ＳＴという記号で表される管理情報が含まれている。ただし、ＴＤＭＡ＿ＳＴは、Ｌ０層に記録されるＤＭＡ１−０〜ＤＭＡ４−０に記録されるＤＤＳにのみ含まれている。【００６２】
ＤＤＳ＿ＩＤは、自情報がＤＤＳであることを識別するための識別子である。例えば、ＤＤＳ＿ＩＤとして、文字列”DS”を用いることができる。ＤＦＬ＿ＡＤＲは、現在使用しているＤＦＬの開始物理アドレスを示す情報である。ＳＰ＿ＦＵＬＬは、既になされた交替処理において使用された結果、空き領域が無くなった交替領域を示す情報である。ＩＳＡ＿ＳＩＺＥは、ＩＳＡのサイズを示す情報である。ＯＳＡ＿ＳＩＺＥは、ＯＳＡのサイズを示す情報である。ＴＤＭＡ＿ＳＴは、Ｌ１層の交替処理の管理情報であるＴＤＭＡが現在使用されているか否かを示すフラグである。【００６３】
なお、ＴＤＭＡ＿ＳＴは、使用されているか否かを示す対象となるＴＤＭＡ毎に１ビットあれば良い、すなわち、Ｌ０層が備えるＴＤＭＡが１つのみの場合、１ビットあればよく、ＴＤＭＡを２つ備えている場合、２ビットあればよい。本実施形態では、ＴＤＭＡ＿ＳＴは、１ビットの情報である。【００６４】
前述のように、複数のＴＤＭＡを配置することができるが、全ての記録再生装置１０が、それら全てのＴＤＭＡを使用する必要はなく、使用したいＴＤＭＡをＴＤＭＡ＿ＳＴにより、選択することができる。例えば、２つのＴＤＭＡがある場合、それら２つのＴＤＭＡを両方用いてもよい。この場合、ＴＤＭＡ＿ＳＴの２ビットをどちらも使用していることを示すように設定すればよい。例えば、「１」が使用、「０」が未使用を示すように定めた場合、２ビットとも「１」とする。また、２つのＴＤＭＡの内、１つのみを使用する場合、使用するＴＤＭＡに対応する１ビットのみを「１」とすればよい。このように、ＴＤＭＡ＿ＳＴにより、記録再生装置毎に使用するＴＤＭＡを選択でき、柔軟にＴＤＭＡを利用することが可能となる。【００６５】
図４は、ＤＦＬ１〜７に含まれる管理情報を説明する図である。図４に示すように、一実施形態において、ＤＦＬ１〜７にはそれぞれ、ＤＦＬ＿ＩＤ、ＤＦＬ＿ＵＣ、Ｎ＿ＤＦＬ、ＡＤＲ１〜ＡＤＲＭ、およびＴＲＭが含まれている。【００６６】
ＤＦＬ＿ＩＤはＤＦＬであることを識別するための識別子である。例えば、ＤＦＬ＿ＩＤとしては文字列”DF”を用いればよい。ＤＦＬ＿ＵＣは、ＤＦＬの更新回数を示すものである。すなわち、初期化時には０であり、ＤＦＬが一回更新される度に１が加算される。Ｎ＿ＤＦＬは、ＤＦＬに登録された交替領域の数である。ＡＤＲ１〜ＡＤＲＭは、交替元アドレスおよび交替先アドレスからなる交替アドレス情報である。ＴＲＭは、終端符号である。終端符号以降クラスタ境界までは、００Ｈを記録しておくものとする。交替クラスタ数Ｎ＿ＤＦＬは情報記録媒体１を使用し始めたときは０であるが、使用するにつれて増加していく。同様に、交替アドレス情報ＡＤＲの数（Ｍ）も徐々に増加して行くことになる。【００６７】
ＤＦＬ１〜７のうち、初めに使用されるのはＤＦＬ１である。ＤＦＬ２は、ＤＦＬ１へ記録不能であった場合、もしくは、所定回数以上の上書きを行った場合にＤＦＬ１に代わって用いられる。上記上書きを行った回数は、ＤＦＬ１に自らの更新回数がＤＦＬ＿ＵＣとして記録されているので、これを読み出すことにより取得し得る。例えば、１０００回の上書きが保証されている場合、ＤＦＬ＿ＵＣが１０００となるまでＤＦＬ１を使用し、その後、ＤＦＬ２を用いればよい。また、ＤＦＬ１に代わって、ＤＦＬ２を使用することになったときは、ＤＤＳのＤＦＬ＿ＡＤＲには、ＤＦＬ２の先頭の物理アドレスを記録する。このようにすることにより、使用不能となったＤＦＬ１に代わってＤＦＬ２が使用されていることを認識できる。以降、各ＤＦＬが使用不能になるに従い、ＤＦＬ３からＤＦＬ７が代わりに使用される。【００６８】
以上のように、情報記録媒体１のＬ０層（書き換え型記録層）には、自層の欠陥管理をおこなうための情報が記録された記録領域であるＤＭＡと、追記型記録層の欠陥管理をおこなうための情報が記録された記録領域であるＴＤＭＡとの両方が配置されている。さらに、Ｌ０層に配置されたＤＭＡには、ＴＤＭＡが使用されているか否かを示す管理情報がさらに記録されている。【００６９】
次に、ＴＤＭＡに記録される管理情報の詳細を説明する。上述したように、ＴＤＭＡには、Ｌ１層の交替処理管理情報が一時的に記録される。図５は、ＴＤＭＡに記録される情報の構成を示す図である。図５に示すように、ＴＤＭＡには、ＤＭＡと同様の情報が含まれているが、ＴＤＭＡに記録されることを示すため、各情報の記号は、それぞれ、ＴＤＤＳ、およびＴＤＦＬとなっている。【００７０】
図６は、ＴＤＤＳに含まれる管理情報を説明する図である。図６に示すように、一実施形態において、ＴＤＤＳには、ＴＤＤＳ＿ＩＤ、ＴＤＦＬ＿ＡＤＲ、ＳＰ＿ＦＵＬＬ、ＩＳＡ＿ＳＩＺＥ、およびＯＳＡ＿ＳＩＺＥという記号で表される管理情報が含まれている。【００７１】
ＴＤＤＳ＿ＩＤは、ＴＤＤＳであることを識別するための識別子である。例えば、ＴＤＤＳ＿ＩＤとしては、文字列”TD”を用いればよい。ＴＤＦＬ＿ＡＤＲは、現在使用しているＤＦLの開始物理アドレスである。ＳＰ＿ＦＵＬＬ、ＩＳＡ＿ＳＩＺＥおよびＯＳＡ＿ＳＩＺＥは、ＤＤＳにおける説明と同様である。【００７２】
図７は、ＴＤＦＬ１〜７に含まれる管理情報を説明する図である。図７に示すように、一実施形態において、ＴＤＦＬ１〜７には、ＤＦＬ＿ＩＤからＴＤＦＬ＿ＩＤへ、およびＤＦＬ＿ＵＣからＴＤＦＬ＿ＵＣへ記号の変更以外は、ＤＦＬ１〜７と同様の内容が含まれており、同様に使用される。【００７３】
以上では、１つの書き換え型記録層と１つの追記型記録層から構成される情報記録媒体１について説明したが、上述したように、書き換え型記録層は、複数であってもよく、追記型記録層も複数であってもよい。【００７４】
追記型記録が複数ある場合、それら複数の層の全てに対するＴＤＭＡを書き換え型記録層に配置し、そこに、ＴＤＤＳおよびＴＤＦＬを記録すればよい。例えば、情報記録媒体１が、Ｌ２層、Ｌ３層、Ｌ４層と、さらに追記型記録層を備えていた場合、それぞれの追記型記録層に対応するＴＤＭＡ（ＴＤＭＡ１、ＴＤＭＡ２、ＴＤＭＡ３、およびＴＤＭＡ４）をそれぞれ備えていてもよい。この場合、ＴＤＭＡの配置される位置（例えば、Ｌ０層の最内周部からの距離の順序）に応じて、対応する追記型記録層を定めてもよいし、それぞれのＴＤＭＡに対応する追記型記録層を指定する管理情報を記録してもよい。【００７５】
また、書き換え型記録層が複数ある場合、それら複数の層のうち、少なくとも１つの層にＴＤＭＡを配置すればよい。複数の書き換え型記録層にＴＤＭＡを配置すると、冗長度が上がり信頼性が向上するが、ＴＤＤＳおよびＴＤＦＬを複数回記録する必要があるので記録に時間を要するというデメリットがある。【００７６】
次に、情報記録媒体１を記録再生するための記録再生装置１０について説明する。図８に本発明の一実施形態に係る記録再生装置（情報記録媒体の記録再生装置）１０の概略構成を示すブロック図である。図８に示すように、記録再生装置１０は、ピックアップ１１、再生回路１２、復号回路１３、記録制御回路１４、サーボ回路１５、および制御回路１６（管理情報記録手段）を備えており、情報記録媒体１の記録再生を行う。【００７７】
情報記録媒体１は、１層の書き換え型記録層と、１層の追記型記録層とから成る２層光ディスクである。情報記録媒体の各記録層に記録されたユーザ情報および管理情報は、ピックアップ１１が、情報記録媒体１にレーザ光を照射し、反射光を受光することにより、記録および再生される。【００７８】
ピックアップ１１は、情報記録媒体からの反射光から得られた情報を表す信号を再生回路１２に送る。再生回路１２は、受け取った上記信号の振幅を調整して、所定のフィルタリング処理を施した後、復号回路１３へと出力する。復号回路１３は、再生回路１２からの入力を所定の方法により復号処理し、「１」または「０」の２つのレベルを持つ２値化データへ変換する。上記所定の方法としては種々のものが考案されているが、記録密度の高い光ディスクの再生を行う場合、ＰＲＭＬ（Ｐａｒｔｉａｌ  Ｒｅｓｐｏｎｓｅ  Ｍａｘｉｍｕｍ  Ｌｉｋｅｌｉｈｏｏｄ）復号を好適に用いることができる。ＰＲＭＬ復号では、高密度化による符号間干渉を仮定して復号処理を行うので、符号間干渉により信号品質の劣化した再生信号であっても復号が可能である。【００７９】
復号回路１３の出力は、制御回路１６へ送られるとともに、外部へ出力される。制御回路１６は、復号回路１３からの入力に基づいて、サーボ回路１５および記録制御回路１４に指令を送る。制御回路１６は、ＣＰＵ（中央処理装置）、プログラムを格納したＲＯＭおよび制御処理に必要なメモリ（ＲＡＭ）などから構成されている。サーボ回路１５では、制御回路１６の指令に基づいて、フォーカス、トラッキング、アクセス制御、層間ジャンプ等の制御を実行する。記録制御回路１４では、制御回路１６の指令に基づいて情報記録媒体１への記録を実行する。上記記録の詳細については後述する。【００８０】
図９は、ＴＤＭＡに記録された情報である、ＴＤＤＳおよびＴＤＦＬの読み取り処理の概略を説明するフローチャートである。ＴＤＤＳおよびＴＤＦＬの読み取り処理は、通常は、情報記録媒体１が記録再生装置１０に供された（たとえば、光ディスクである情報記録媒体１が、記録再生装置１０に挿入された）時に実行される。【００８１】
まず、制御回路１６からの指令により、サーボ回路１５を介してピックアップ１１が移動して、ＤＭＡ１−０にアクセスする（ステップＳ１）。【００８２】
次に、ＤＭＡ１−０に記録されたＤＤＳおよびＤＦＬを読み取る（ステップＳ２）。読み取りは、ピックアップ１１において得られた再生信号を再生回路１２において処理した後、復号回路１３により復号することにより実行される。復号結果は制御回路１６に送られ、制御回路１６はＤＤＳおよびＤＦＬの内容を認識する。またＤＤＳおよびＤＦＬの情報は、制御回路１６に含まれるメモリに一時的に保存される。ＤＦＬは前述の通り、ＤＦＬ１〜ＤＦＬ７の７つが存在するが、ＤＤＳに含まれるＤＦＬ＿ＡＤＲにより、どのＤＦＬが使用されているかを判別し、対応するＤＦＬを用いるようにすればよい。【００８３】
ＤＤＳの内容が所定の情報（例えば、図３に示される情報）を含んでいるか否かを判断することにより、制御回路１６はＤＭＡ１−０を正しく読み取れたか否かを判断する。ＤＭＡ１−０を正しく読み取ることができない場合、前述のようにＤＭＡ２−０以降に記録されているＤＤＳを代替して使用する。また、ＤＭＡ１−０が正常に読み取れた場合、ＤＭＡ２−０〜ＤＭＡ４−０に記録された管理情報については必ずしも読み取る必要はない。【００８４】
次に、ＤＤＳに含まれるＴＤＭＡ＿ＳＴによりＴＤＭＡが使用されているか否かを判断する（ステップＳ３）。ＤＤＳの内容は、既に制御回路１６のメモリに一時的に記憶されているので、ＤＤＳのＴＤＭＡ＿ＳＴに相当するデータを該メモリからＣＰＵが読み取ればよい。【００８５】
ＴＤＭＡが使用されていない場合、ＴＤＭＡの読み取り処理を終了する。一方、ＴＤＭＡが使用されている場合、ＴＤＭＡが記録されている領域にアクセスする（ステップＳ４）。つづいて、ＴＤＭＡの読み取りを行う（ステップＳ５）。【００８６】
ここで、本実施形態に係る情報記録媒体１では、上述したように書き換え型記録層であるＬ０層に記録されている。よって、記録再生装置１０は、Ｌ０層のＴＤＭＡを読み取ることにより、Ｌ１層に対する交替処理を行うことができる。【００８７】
ここで、情報記録媒体１（光ディスク）が、記録再生装置１０（光ディスク装置）に挿入された際に、常に、Ｌ０層を最初に読み取るようにすると、更に良い効果が得られる。Ｌ０層を最初に読み取るようにすれば、システム情報、Ｌ０層の欠陥管理情報（ＤＭＡに記録）、Ｌ１層の欠陥管理情報（ＴＤＭＡに記録）を読み取ることができる。すなわち、光スポットをＬ０層からＬ１層へ移動させる、いわゆる、層間ジャンプを行う必要がない。このため、短時間で交替処理に用いる管理情報等の読み取りを完了することができる。【００８８】
また、以上の読み取り処理は、制御回路１６に含まれるＲＯＭに記憶されており、それをＣＰＵにより実行することにより実現される。このように、本実施形態に係る情報記録媒体１では、一つの層に他の層の欠陥管理情報が記録されているので、少ない層間ジャンプで、欠陥管理情報を取得することができる。【００８９】
以上の読み取り処理により、交替処理に必要な情報が全て光ディスク装置に読み取られたので、これ以降、適切な交替処理が実行できる。【００９０】
図１０は、ＴＤＤＳおよびＴＤＦＬの記録処理の概略を説明するフローチャートである。ＴＤＤＳおよびＴＤＦＬの記録処理は、通常は、ＴＤＤＳまたはＴＤＦＬが更新された際に実行されるが、ユーザ情報の再生等を行っている際には、その再生を優先させ、空き時間に記録処理を行うようにしてもよい。【００９１】
まず、ＴＤＭＡにアクセスする（ステップＳ１１）。アクセスは読み取り処理の場合と同様に、制御回路１６からの指令により、サーボ回路１５が、ピックアップ１１を移動することにより実行される。また、Ｌ０層以外の層を記録再生していた場合、Ｌ０層への層間ジャンプも併せて実行する。【００９２】
次に、ＴＤＤＳおよびＴＤＦＬを記録する（ステップＳ１２）。これらの情報の記録は、制御回路１６の指令に基づき、記録制御回路１４が所定の記録信号をピックアップ１１に出力することにより実行される。より具体的には、制御回路１６は、記録すべきＴＤＤＳおよびＴＤＦＬの情報を記録制御回路１４に与える。記録制御回路１４は、これらの情報を、パルス列に変換する。ピックアップ１１では、これらのパルス列に基づいて、レーザを情報記録媒体１へと照射する。【００９３】
ここで、ＴＤＤＳおよびＴＤＦＬの全てが記録されるのではなく、これらのうち、更新されたものだけが記録される。例えば、ＴＤＤＳはＴＤＦＬ＿ＡＤＲまたは、ＳＰ＿ＦＬＬが変更された場合に更新される。よって、それ以外の場合は更新されないため、ステップＳ１２においてＴＤＤＳの記録は実行されない。一方、例えば、ＤＦＬ１を使っていたが、所定回数以上の上書きを行ったため、ＤＦＬ２を使うことになった場合は、ＴＤＤＳのＴＤＦＬ＿ＡＤＲが更新される。これに伴い、ステップＳ１２においてＴＤＤＳが記録される。また、ＤＦＬについては、使用されているＤＦＬのみが更新される。すなわち、ＤＦＬ１を使用しており、ＤＦＬ２を使用していない場合は、ステップＳ１２においてＤＦＬ１のみが記録される。同様に、ＤＦＬ２を使用しており、ＤＦＬ１は使用していない場合、ステップＳ１２においては、ＤＦＬ２のみが記録され、ＤＦＬ１は記録されない。【００９４】
また、キズその他による欠陥の数が各ＤＦＬに登録可能な欠陥の数を超えた場合、それ以降に発生した欠陥は、ＤＦＬへ登録ができなくなる。その結果、ＤＦＬによる交替処理ができなくなるため、その光ディスクに対しては、それ以降の記録が禁止される。【００９５】
次に、制御回路１６は、ＴＤＭＡ読み取り処理により読み取られたＴＤＭＡ＿ＳＴに基づいて、ＴＤＭＡの読み取り処理を行った時点において、ＴＤＭＡが使用されていたか否かを判断する（ステップＳ１３）。ＴＤＭＡが既に使用されていた場合、ＴＤＭＡ＿ＳＴの所定のビットは既に「１」となっているため、記録処理を終了する。一方、ＴＤＭＡが使用されていなかった場合、ＴＤＭＡ＿ＳＴにＴＤＭＡが使用されていることを示す情報を記録しなければならない。【００９６】
よって、ＤＭＡ１−０にアクセスする（ステップＳ１４）。続いて、ＴＤＭＡ＿ＳＴの所定ビットが「１」となるように記録を行う（ステップＳ１５）。【００９７】
以上、詳細に説明したように、本実施形態に係る情報記録媒体１では、書き換え型記録層であるＬ０層にＴＤＭＡが配置されているので、追記型記録層にＴＤＭＡが配置されている場合のように、追記によりＴＤＭＡが記録され、それに伴って、ＴＤＭＡを記録する領域が消費されてしまうということがない。そのため、ＴＤＭＡを記録する領域として必要となる領域の大きさを予測して、ＴＤＭＡの記録領域を確保する必要がない。【００９８】
また、Ｌ０層とＬ１層は、書き換え型記録層と追記型記録層という、記録層の性質の違いはあるものの、どちらの層も同一のピックアップで記録および再生が可能であり、ＴＤＭＡをＬ０層に配置したことに起因して、情報記録媒体１の記録再生装置１０に、新たに特別な回路や機構を付加する必要はない。また、ＴＤＭＡは、層は異なるものの、同一の情報記録媒体１に記録されるため、記録再生装置１０から情報記録媒体１が取りだされても、１つの情報記録媒体１に一体的に保持される。従って、他の記録再生装置１０に挿入された場合も、Ｌ０層に記録されているＴＤＭＡに基づいて、Ｌ１層の交替処理を行うことができる。【００９９】
〔第２実施形態〕
図１１は、本発明の一実施形態（第２実施形態）に係る情報記録媒体２の各記録層の記録領域の概略構成を示す図である。図１１に示すように、本実施形態に係る情報記録媒体２は、ＴＤＭＡの代わりに、ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ、連続記録領域情報）領域が設けられている以外は、第１実施形態に係る情報記録媒体１と同様の構成を有している。【０１００】
ＳＲＲＩとは、情報記録媒体の記録領域をＳＲＲと呼ぶ小領域に分割し、それぞれのＳＲＲ毎に、記録や再生またクローズ処理が行えるようにするための管理情報である（特許文献３参照）。ここで、クローズ処理とは、クローズ処理後のＳＲＲへの記録を禁止する処理である。すなわち、本実施形態では、追加型記録層（Ｌ１層）の記録領域がＳＲＲに分割されており、各ＳＲＲの管理情報がＳＲＲＩである。後述するようにＳＲＲＩは、更新され得る管理情報であり、これが書き換え型記録層（Ｌ０層）に設けられているため、効率的な管理情報の記録が可能となる。【０１０１】
図１２は、本実施形態に係る情報記録媒体２に記録されるＤＤＳに含まれる管理情報を説明する図である。図１２に示すように、第１実施形態に係る情報記録媒体１に記録されるＤＤＳと違い、ＴＤＭＡ＿ＳＴの代わりにＳＲＲＩ＿ＳＴを含んでいる。ＳＲＲＩ＿ＳＴは、Ｌ０層に配置されたＳＲＲＩ領域が使用されているか否かを示す管理情報であり、ＴＤＭＡ＿ＳＴと同様に使用される。【０１０２】
図１３は、本実施形態に係る情報記録媒体２に記録されるＤＤＳに含まれる管理情報を説明する図である。図１３に示すように、一実施形態において、ＳＲＲＩには、ＳＲＲＩ＿ＩＤ、ＳＲＲＩ＿ＵＣ、Ｎ＿ＳＲＲ、Ｎ＿ＯＰＥＮ＿ＳＲＲ、ＯＰＥＮ  ＳＲＲ１〜ＯＰＥＮ  ＳＲＲ１６、ＳＲＲ  ＥＮＴＲＹ１〜ＳＲＲ  ＥＮＴＲＹ Ｎ、およびＴＲＭが含まれている。【０１０３】
ＳＲＲＩ＿ＩＤはＳＲＲＩであることを識別するための識別子である。例えば、ＳＲＲＩ＿ＩＤとしては文字列”SR”を用いることができる。ＳＲＲＩ＿ＵＣは、ＳＲＲＩの更新回数を示す情報である。すなわち、初期化時には０であり、ＳＲＲＩが一回更新される度に１が加算される。Ｎ＿ＳＲＲは、ＳＲＲＩに登録されたＳＲＲの数を示す情報である。Ｎ＿ＯＰＥＮ＿ＳＲＲは、ＳＲＲＩに登録されたオープンＳＲＲの数を示す情報である。オープンとはクローズと対をなす言葉であり、クローズされていないこと、すなわち、記録が可能な状態を示す。よってオープンＳＲＲに登録されているＳＲＲに対しては記録が可能である。【０１０４】
ＯＰＥＮ  ＳＲＲ１〜ＯＰＥＮ  ＳＲＲ１６には、オープンＳＲＲのＳＲＲ番号が記録されている。ＳＲＲ番号とは、ＳＲＲエントリに登録されているＳＲＲに順番に割り当てられた番号である。すなわち、本実施形態では、オープンＳＲＲとして同時に登録が可能なのは、１６個のＳＲＲに制限されている。ただし、オープンＳＲＲの登録数は特に限定されるものではない。【０１０５】
ＳＲＲ  ＥＮＴＲＹ１〜ＳＲＲ  ＥＮＴＲＹ ＮにはＳＲＲエントリが記録される。ＳＲＲ  ＥＮＴＲＹ１に登録されているＳＲＲはＳＲＲ番号１であり、ＳＲＲ  ＥＮＴＲＹ Ｎに登録されているＳＲＲはＳＲＲ番号Ｎである。【０１０６】
図１４は、ＳＲＲエントリに含まれる管理情報を説明する図である。図１４に示すように、一実施形態において、ＳＲＲエントリは、ＳＲＲ＿ＡＤＲおよびＬＲＡを含んでいる。ＳＲＲ＿ＡＤＲはＳＲＲの開始物理アドレスを示す情報である。ＬＲＡはＳＲＲとして確保されている領域の内、既に記録されている部分の最終物理アドレスを示す情報である。すなわち、ＬＲＡの次の物理アドレスから追記が可能である。【０１０７】
ＴＲＭは、終端符号である。終端符号以降クラスタ境界までは、００Ｈを記録しておくものとする。【０１０８】
Ｎ＿ＳＲＲは光ディスクを使用し始めたときは０であるが、使用するにつれて増加していく。また、各ＳＲＲに記録する毎にＬＲＡは更新される。よって、ＳＲＲＩを追記型記録層に確保した場合、ＳＲＲの新規登録、オープンＳＲＲの変更、ＬＲＡの更新などの度に、ＳＲＲＩを変更する必要があり、ＳＲＲＩを追記するため、ＳＲＲＩを記録する領域を消費していくことになる。【０１０９】
本実施形態では、図１１に示すようにＳＲＲＩを追記型記録層でなく、書き換え型記録層であるＬ０層に配置しているため、ＳＲＲＩの更新を行ってもＳＲＲＩ記録領域を消費してしまうことがない。【０１１０】
以上では、追記型記録層の、欠陥管理情報（ＴＤＭＡ）または記録領域の分割管理情報（ＳＲＲＩ）を、書き換え型記録層に記録する場合について説明したが、本発明はこれらに限定されず、追記型記録層の管理情報のうちの更新され得る管理情報が、書き換え型記録層に記録されるものであればよい。そのような情報記録媒体および情報記録媒体の記録再生装置であれば、追記型記録層の管理情報が更新された場合であっても、特別な読み取りおよび書き込み装置を必要とせずに、追記による記録領域の消費を避けることができるので、容易かつ効率的に追記型記録層の管理情報を記録することができる。【０１１１】
本発明はまた、以下のように表現することができる。【０１１２】
（第１の構成）
少なくとも１つの書き換え可能な記録層と、少なくとも１つのライトワンス記録層を有する情報記録媒体であって、前記ライトワンス記録層の管理情報のうち、情報の更新が行なわれる更新可能管理情報が、前記書き換え可能な記録層に配置されることを特徴とする情報記録媒体。【０１１３】
（第２の構成）
前記更新可能管理情報が交替処理管理情報であることを特徴とする第１の構成に記載の情報記録媒体。【０１１４】
（第３の構成）
前記更新可能管理情報が記録領域分割管理情報であることを特徴とする第１の構成に記載の情報記録媒体。【０１１５】
（第４の構成）
前記更新可能管理情報が使用されているか否かを示す、管理情報使用状況情報が前記書き換え可能な記録層に配置されることを特徴とする第１、第２または第３の構成に記載の情報記録媒体。【０１１６】
（第５の構成）
少なくとも１つの書き換え可能な記録層と、少なくとも１つのライトワンス記録層を有する情報記録媒体の記録再生装置であって、前記ライトワンス記録層の管理情報のうち、情報の更新が行なわれる更新可能管理情報を、前記書き換え可能な記録層に記録することを特徴とする情報記録媒体記録再生装置。【０１１７】
（第６の構成）
前記更新可能管理情報が記録されている前記書き換え可能な記録層に記録された管理情報を最初に読み出すことを特徴とする第５の構成に記載の情報記録媒体記録再生装置。【０１１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【０１１９】
また、本明細書中に記載された学術文献および特許文献の全てが、本明細書中において参考として援用される。【０１２０】
上記の構成によれば、追記型記録層の管理情報が書き換え可能な記録層に配置されているので、管理情報が頻繁に更新された場合であっても、管理情報を記録するための記録領域が追記により消費されることがなく、効率よく該管理情報を記録することができる。また、追記型記録層と書き換え型記録層は、いずれも同一の情報記録媒体の層であり、ユーザ情報の記録再生と同じ手段により管理情報を記録再生することができるので、容易に該管理情報を記録することができる。【０１２１】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１２２】
本発明は、情報記録媒体、およびその記録再生装置の製造分野において利用可能である。
【図１】
2009044662.tif 000003
【図２】
2009044662.tif 000004
【図３】
2009044662.tif 000005
【図４】
2009044662.tif 000006
【図５】
2009044662.tif 000007
【図６】
2009044662.tif 000008
【図７】
2009044662.tif 000009
【図８】
2009044662.tif 000010
【図９】
2009044662.tif 000011
【図１０】
2009044662.tif 000012
【図１１】
2009044662.tif 000013
【図１２】
2009044662.tif 000014
【図１３】
2009044662.tif 000015
【図１４】
2009044662.tif 000016
【図１５】
2009044662.tif 000017
【図１６】
2009044662.tif 000018
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
すくなくともユーザ情報を記録するための、書き換え型記録層および追記型記録層を備えており、
該追記型記録層のユーザ情報の記録および再生を管理するための、更新され得る管理情報を記録するための記録領域が、該書き換え型記録層に配置されていることを特徴とする情報記録媒体。
【請求項２】
上記更新され得る管理情報が、上記追記型記録層における欠陥管理を行うための管理情報であることを特徴とする請求の範囲第１項に記載の情報記録媒体。
【請求項３】
上記更新され得る管理情報が、上記追記型記録層における記録領域の分割管理を行うための管理情報であることを特徴とする請求の範囲第１項に記載の情報記録媒体。
【請求項４】
上記更新され得る管理情報が、上記記録領域の特定領域に管理情報が書き込まれているか否かを示す管理情報であることを特徴とする請求の範囲第１項〜第３項の何れか一項に記載の情報記録媒体。
【請求項５】
ユーザ情報を記録するための書き換え型記録層および追記型記録層を備えている情報記録媒体のユーザ情報を記録再生するための情報記録媒体の記録再生装置であって、
該追記型記録層のユーザ情報の記録および再生を管理するための、更新され得る管理情報を、該書き換え型記録層に配置された特定の記録領域に記録する管理情報記録手段を備えていることを特徴とする情報記録媒体の記録再生装置。
【請求項６】
上記情報記録媒体が自装置に供されたときに、上記追記型記録層からの情報の読み取りの前に、上記書き換え型記録層からの情報の読み取りを行うことを特徴とする請求の範囲第５項に記載の情報記録媒体の記録再生装置。
【請求項７】
上記書き換え型記録層に配置された上記記録領域が、上記追記型記録層における欠陥管理を行うための上記管理情報を一時的に記録するためのものであり、上記追記型記録層および上記書き換え型記録にはそれぞれ、自層における欠陥管理を行うための管理情報を記録するための記録領域が配置されていることを特徴とする請求の範囲第２項に記載の情報記録媒体。
【国際調査報告】
2009044662.tif 000019
2009044662.tif 000020